(57)【要約】  本発明は、従来タイプより小型でありながらも、諸収差が良好に補正された撮像レンズを提供する。  この撮像レンズは、物体側より順に、開口絞りと、正の屈折力を有し物体側に凸面を向けた第１レンズと、負の屈折力を有し像側に凹面を向けた第２レンズと、正の屈折力を有し像側に凸面を向けた第３レンズと、正の屈折力を有し像側に凸面を向けてメニスカス形状を有する第４レンズと、負の屈折力を有し像側に凹面を向けた第５レンズと、から成り、以下の条件式を満足することを特徴とする。  ２．０＜（ｒ７＋ｒ８）／（ｒ７−ｒ８）＜８．０  ０．８＜ＳＬ／ｆ＜１．５  但し、ｒ７：前記第４レンズ物体側面の曲率半径、ｒ８：前記第４レンズ像側面の曲率半径、ＳＬ：前記開口絞りから像側焦点までの光軸上の距離、ｆ：撮像レンズ全系の焦点距離
2011021271.tif 000002
【特許請求の範囲】
【請求項１】
固体撮像素子の光電変換部に被写体像を結像させるための撮像レンズにおいて、
物体側より順に、開口絞りと、正の屈折力を有し物体側に凸面を向けた第１レンズと、負の屈折力を有し像側に凹面を向けた第２レンズと、正の屈折力を有し像側に凸面を向けた第３レンズと、正の屈折力を有し像側に凸面を向けてメニスカス形状を有する第４レンズと、負の屈折力を有し像側に凹面を向けた第５レンズと、から成り、以下の条件式を満足することを特徴とする撮像レンズ。
２．０＜（ｒ７＋ｒ８）／（ｒ７−ｒ８）＜８．０
０．８＜ＳＬ／ｆ＜１．５
但し、
ｒ７：前記第４レンズ物体側面の曲率半径
ｒ８：前記第４レンズ像側面の曲率半径
ＳＬ：前記開口絞りから像側焦点までの光軸上の距離
ｆ：撮像レンズ全系の焦点距離
【請求項２】
以下の条件式を満足することを特徴とする請求項１に記載の撮像レンズ。
０．６＜ｆ４／ｆ＜２．０
但し、
ｆ４：前記第４レンズの焦点距離
ｆ：撮像レンズ全系の焦点距離
【請求項３】
以下の条件式を満足することを特徴とする請求項１又は請求項２に記載の撮像レンズ。
０．５＜ｆ３／ｆ４＜５．０
但し、
ｆ３：前記第３レンズの焦点距離
ｆ４：前記第４レンズの焦点距離
【請求項４】
以下の条件式を満足することを特徴とする請求項１〜３の何れか１項に記載の撮像レンズ。
２０＜ν１−ν２＜７０
但し、
ν１：前記第１レンズのアッベ数
ν２：前記第２レンズのアッベ数
【請求項５】
以下の条件式を満足することを特徴とする請求項１〜４の何れか１項に記載の撮像レンズ。
１．５５＜ｎ２＜２．１０
但し、
ｎ２：前記第２レンズのｄ線に対する屈折率
【請求項６】
第１レンズから第３レンズを移動させて焦点位置合わせを行い、以下の条件式を満足することを特徴とする請求項１〜５の何れか１項に記載の撮像レンズ。
０．０５＜ｄ６／ｆ＜０．１５
但し、
ｄ６：前記第３レンズと前記第４レンズの軸上の空気間隔
ｆ：撮像レンズ全系の焦点距離
【請求項７】
前記第２レンズの像側面は非球面形状を有し、光軸から周辺に離れるに従って負の屈折力が弱くなる形状を有することを特徴とする請求項１〜６の何れか１項に記載の撮像レンズ。
【請求項８】
前記開口絞りは前記第１レンズの物体側面の光軸上の位置より像側に位置し、前記第１レンズの物体側面の最周辺部より物体側に配置されていることを特徴とする請求項１〜７の何れか１項に記載の撮像レンズ。
【請求項９】
前記第５レンズの像側面は非球面形状に形成されており、その中心では負の屈折力を有し、周辺に向かうに従い負の屈折力が弱くなり、変曲点を有することを特徴とする請求項１〜８の何れか１項に記載の撮像レンズ。
【請求項１０】
前記第１レンズから第５レンズの全てがプラスチック材料で形成されていることを特徴とする請求項１〜９の何れか１項に記載の撮像レンズ。
【請求項１１】
被写体像を光電変換する固体撮像素子と、請求項１〜１０の何れか１項に記載の撮像レンズを備えたことを特徴とする撮像装置。
【請求項１２】
請求項１１に記載の撮像装置を備えたことを特徴とする携帯端末。
【発明の詳細な説明】
【技術分野】
【０００１】
本発明は、ＣＣＤ型イメージセンサ或いはＣＭＯＳ型イメージセンサ等の固体撮像素子を用いた小型の撮像レンズ、撮像装置及び携帯端末に関する。
【背景技術】
【０００２】
近年、ＣＣＤ（Ｃｈａｒｇｅｄ  Ｃｏｕｐｌｅｄ  Ｄｅｖｉｃｅ）型イメージセンサ或いはＣＭＯＳ（Ｃｏｍｐｌｅｍｅｎｔａｒｙ  Ｍｅｔａｌ  Ｏｘｉｄｅ  Ｓｅｍｃｏｎｄｕｃｔｏｒ）型イメージセンサ等の固体撮像素子を用いた撮像装置の高性能化及び小型化に伴い、このような撮像装置を備えた携帯電話や携帯情報端末が普及しつつある。また、この撮像装置に搭載される撮像レンズには、更なる小型化への要求が高まっている一方で、固体撮像素子の高画素化に伴った高性能化も求められている。【０００３】
このような用途の撮像レンズとしては、３枚或いは４枚構成のレンズに比べて高性能化が可能であるということで、５枚構成の撮像レンズが提案されている。【０００４】
この５枚構成の撮像レンズとして、物体側より順に正の屈折力を有する第１レンズ、負の屈折力を有する第２レンズ、正の屈折力を有する第３レンズ、負の屈折力を有する第４レンズ、及び負の屈折力を有する第５レンズで構成された撮像レンズが開示されている（例えば、特許文献１参照）。【０００５】
また、物体側より順に負の屈折力を有する第１レンズ、正の屈折力を有する第２レンズ、負の屈折力を有する第３レンズ、正の屈折力を有する第４レンズ、及び負の屈折力を有する第５レンズで構成された撮像レンズが開示されている（例えば、特許文献２参照）。
【先行技術文献】
【特許文献】
【０００６】
【特許文献１】特開２００７−２６４１８０号公報
【特許文献２】特開２００７−２７９２８２号公報
【発明の概要】
【発明が解決しようとする課題】
【０００７】
一般に、５枚構成の撮像レンズは３枚或いは４枚構成のレンズに比べてレンズ枚数が多い分、小型化が困難である。しかしながら、特許文献１に記載の撮像レンズは、第１レンズから第３レンズで全系の屈折力の殆どを担っており、第４レンズ及び第５レンズは屈折力の弱い像面補正レンズとしての効果しかない。従って、収差補正が不十分で、更にレンズ全長を短縮化すると、性能の劣化により撮像素子の高画素化に対応が困難となるという問題がある。【０００８】
また、特許文献２に記載の撮像レンズは、第１レンズと第２レンズで構成される前群が球面系で構成されているため、球面収差やコマ収差の補正が不十分で良好な性能を確保できない。また、前群及び第３レンズ以降の後群とも正の屈折力を有する構成のため、後群が負の屈折力を有するテレフォトタイプのような構成に比べ、光学系の主点位置が像側になりバックフォーカスが長くなるため、小型化には不利なタイプである。【０００９】
本発明はかかる問題に鑑みてなされたものであり、従来タイプより小型でありながらも、諸収差が良好に補正された５枚構成の撮像レンズ、該撮像レンズを備えた撮像装置、及び該撮像装置を備えた携帯端末を提供することを目的とする。【００１０】
なお、撮像レンズの小型化の尺度であるが、本発明では下式を満たすレベルの小型化を目指している。この範囲を満たすことで、撮像装置全体の小型軽量化が可能となる。【００１１】
Ｌ／２Ｙ＜１．００      （８）
但し、
Ｌ：撮像レンズ全系の最も物体側のレンズ面から像側焦点までの光軸上の距離
２Ｙ：固体撮像素子の撮像面対角線長（固体撮像素子の矩形実効画素領域の対角線長）
ここで、像側焦点とは撮像レンズに光軸と平行な平行光線が入射した場合の像点をいう。【００１２】
なお、撮像レンズの最も像側の面と像側焦点位置との間に、光学的ローパスフィルタ、赤外線カットフィルタ、若しくは固体撮像素子パッケージのシールガラス等の平行平板が配置される場合には、平行平板部分は空気換算距離とした上で上記Ｌの値を計算するものとする。また、下式の範囲がより望ましい。【００１３】
Ｌ／２Ｙ＜０．９０
【課題を解決するための手段】
【００１４】
上記目的は下記に記載した発明により達成される。【００１５】
１．固体撮像素子の光電変換部に被写体像を結像させるための撮像レンズにおいて、
物体側より順に、開口絞りと、正の屈折力を有し物体側に凸面を向けた第１レンズと、負の屈折力を有し像側に凹面を向けた第２レンズと、正の屈折力を有し像側に凸面を向けた第３レンズと、正の屈折力を有し像側に凸面を向けてメニスカス形状を有する第４レンズと、負の屈折力を有し像側に凹面を向けた第５レンズと、から成り、以下の条件式を満足することを特徴とする撮像レンズ。【００１６】
２．０＜（ｒ７＋ｒ８）／（ｒ７−ｒ８）＜８．０      （１）
０．８＜ＳＬ／ｆ＜１．５      （２）
但し、
ｒ７：前記第４レンズ物体側面の曲率半径
ｒ８：前記第４レンズ像側面の曲率半径
ＳＬ：前記開口絞りから像側焦点までの光軸上の距離
ｆ：撮像レンズ全系の焦点距離
小型で収差の良好に補正された撮像レンズを得るための本発明の基本構成は、開口絞り、正の屈折力を有し物体側に凸面を向けた第１レンズと、負の屈折力を有し像側に凹面を向けた第２レンズと、正の屈折力を有し像側に凸面を向けた第３レンズと、正の屈折力を有し像側に凸面を向けてメニスカス形状の第４レンズと、負の屈折力を有し像側に凹面を向けた第５レンズと、から成る。物体側より順に、第１レンズ、第２レンズ、第３レンズ、第４レンズから成る正レンズ群と、負の第５レンズとを配置する所謂テレフォトタイプのこのレンズ構成は撮像レンズ全長の短縮化には有利な構成である。更に、５枚構成のうち２枚を負レンズとすることで、発散作用を有する面を多くしてペッツバール和の補正を容易とし、画面周辺部まで良好な結像性能を確保した撮像レンズを得ることが可能となる。【００１７】
条件式（１）は、第４レンズのシェーピングファクターを規定している。このレンズ構成では、全長の短縮化に伴い、主点位置を物体側に移動するために第１レンズや第３レンズといった正レンズの屈折力が強くなり、全系の焦点距離が短くなる傾向がある。それに対し、条件式（１）の下限値を上回ることで、第４レンズが強いメニスカス形状になり、軸外を通る光線の上側マージナル光線と下側マージナル光線の入射角の差を抑え、コマ収差を効率的に補正でき、かつ正の屈折力を持つ第４レンズの主点位置を像側に移動することが出来るので、全系の焦点距離を長くすることが出来る。一方で、条件式（１）の上限値を下回ることによって、像側面の曲率半径の増大による像面湾曲等の高次収差の発生を抑えることが出来る。【００１８】
条件式（２）は、開口絞りから像側焦点までの光軸上の距離と焦点距離の比を規定している。ここで、像側焦点とは撮像レンズに光軸と平行な平行光線が入射した場合の像点をいう。【００１９】
なお、撮像レンズの最も像側の面と像側焦点位置との間に、光学的ローパスフィルタ、赤外線カットフィルタ、若しくは固体撮像素子パッケージのシールガラス等の平行平板が配置される場合には、平行平板部分は空気換算距離とした上で上記ＳＬの値を計算するものとする。最も物体側に開口絞りを配置し、更に条件式（２）の下限値を上回ることにより、全長が短縮化された撮像レンズにおいても射出瞳位置を撮像面からより遠くに配置することができ、固体撮像素子の撮像面周辺部に結像する光束の主光線入射角度（主光線と光軸の成す角度）を小さく抑えることができ、所謂テレセントリック特性を確保することができる。一方で、条件式（２）の上限値を下回ることによって、全長の増大を抑えることができる。また、機械的なシャッタを必要とする場合においても、最も物体側に配置する構成とできるので、全長の短い撮像レンズを得ることが可能となる。【００２０】
２．以下の条件式を満足することを特徴とする前記１に記載の撮像レンズ。【００２１】
０．６＜ｆ４／ｆ＜２．０      （３）
但し、
ｆ４：前記第４レンズの焦点距離
ｆ：撮像レンズ全系の焦点距離
条件式（３）は、第４レンズの焦点距離と全系の焦点距離の比を規定している。全長の短縮化に伴い、全系の焦点距離と同様にバックフォーカスも短くなり、撮像レンズの最も像側の面と像側焦点位置との間に、光学的ローパスフィルタ、赤外線カットフィルタ、若しくは固体撮像素子パッケージのシールガラス等の平行平板を配置するスペースの確保が困難となる場合がある。また、条件式（１）の範囲を満たすことによってもバックフォーカスは確保できるが、全系の焦点距離も長くなりすぎてしまう場合がある。それに対し、条件式（１）の範囲を満たしつつ、条件式（３）の上限値を下回ることによって、第４レンズの屈折力が強くなるので、バックフォーカスを確保しつつ、全系の焦点距離を保つことが出来る。一方で、条件式（３）の下限値を上回ることによって、第４レンズの正の屈折力を適度に維持することが出来るので、レンズ全長の短縮化及び像面湾曲や歪曲収差等の軸外諸収差の補正を良好に抑えることが出来る。【００２２】
３．以下の条件式を満足することを特徴とする前記１又は前記２に記載の撮像レンズ。【００２３】
０．５＜ｆ３／ｆ４＜５．０      （４）
但し、
ｆ３：前記第３レンズの焦点距離
ｆ４：前記第４レンズの焦点距離
条件式（４）は、第３レンズと第４レンズの焦点距離の比を規定している。条件式（４）の上限値を下回ることで第３レンズの屈折力を適度に維持することができ、第１レンズから第４レンズの合成主点をより物体側へ配置することができ、撮像レンズ全長を短縮化することができる。一方、下限値を上回ることによって、第３レンズの屈折力をより像側の第４レンズに分担させることによって全系の焦点距離を確保することができる。【００２４】
４．以下の条件式を満足することを特徴とする前記１〜３の何れか１項に記載の撮像レンズ。【００２５】
２０＜ν１−ν２＜７０      （５）
但し、
ν１：前記第１レンズのアッベ数
ν２：前記第２レンズのアッベ数
条件式（５）は、撮像レンズ全系の色収差を良好に補正するための条件式である。条件式（５）の下限を上回ることで、軸上色収差や倍率色収差などの色収差をバランス良く補正することができる。一方、上限を下回ることで、入手しやすい硝材で構成することができる。【００２６】
また、以下の条件式を満たすことが、より望ましい。【００２７】
２５＜ν１−ν２＜６５
５．以下の条件式を満足することを特徴とする前記１〜４の何れか１項に記載の撮像レンズ。【００２８】
１．５５＜ｎ２＜２．１０      （６）
但し、
ｎ２：前記第２レンズのｄ線に対する屈折率
条件式（６）は、撮像レンズ全系の色収差、像面湾曲を良好に補正するための条件式である。条件式（６）の値が下限を上回ることで、比較的分散の大きな第２レンズの屈折力を適度に維持することができ、色収差、像面湾曲を良好に補正することができる。一方、上限を下回ることで、入手し易い硝材で構成することができる。【００２９】
また、以下の条件式を満たすことが、より望ましい。【００３０】
１．６０＜ｎ２＜２．００
６．第１レンズから第３レンズを移動させて焦点位置合わせを行い、以下の条件式を満足することを特徴とする前記１〜５の何れか１項に記載の撮像レンズ。【００３１】
０．０５＜ｄ６／ｆ＜０．１５      （７）
但し、
ｄ６：前記第３レンズと前記第４レンズの軸上の空気間隔
ｆ：撮像レンズ全系の焦点距離
オートフォーカスやマクロ切り替え機能等で焦点位置合わせをしようとした場合、通常はレンズ群全体を光軸方向に移動させて行う全体繰り出しが一般的であるが、レンズ群の一部分、例えば第１レンズから第３レンズまでを光軸方向に移動させて焦点位置合わせを行う部分群繰り出しも可能である。部分群繰り出しにすると、光学系によっては、近距離への焦点位置合わせ時の性能劣化を低減することができ、移動群がレンズ全体ではなく一部分でよいため、駆動機構を簡略化でき、撮像装置全体の小型軽量化を達成することができるといったメリットが得られる。【００３２】
また、この部分群繰り出しを行う際に、第３レンズと第４レンズの光軸上の空気間隔を条件式（７）を満足するように設定することが望ましい。【００３３】
条件式（７）の値が下限を上回ることで、第１レンズから第３レンズでの部分群繰り出し時のストロークを十分に確保することができる。また、第４レンズの周辺の正の屈折力を適度に維持することができ、倍率色収差を良好に補正することができ、周辺部でのテレセントリック特性を確保しやすくなる。一方、上限を下回ることで、第３レンズと第４レンズの光軸上の空気間隔が必要以上に大きくなりすぎず、撮像レンズ全長を短くすることができる。【００３４】
７．前記第２レンズの像側面は非球面形状を有し、光軸から周辺に離れるに従って負の屈折力が弱くなる形状を有することを特徴とする前記１〜６の何れか１項に記載の撮像レンズ。【００３５】
第２レンズの像側面を中心から周辺に行くに従って負の屈折力が弱くなるような非球面形状とすることで、周辺部で光線が過度に跳ね上げられることがなくなり、軸外諸収差を良好に補正した上で、周辺部での良好なテレセントリック特性を確保できる。【００３６】
８．前記開口絞りは前記第１レンズの物体側面の光軸上の位置より像側に位置し、前記第１レンズの物体側面の最周辺部より物体側に配置されていることを特徴とする前記１〜７の何れか１項に記載の撮像レンズ。【００３７】
開口絞りを第１レンズの物体側面の光軸上の位置より像側で、且つ第１レンズの物体側面の最周辺部より物体側に配置することで、第１レンズの物体側面での屈折角を小さくすることができるので、第１レンズで発生する高次の球面収差やコマ収差の発生を抑えることができる。また、第１レンズを通過する光線高さを小さくすることができるので、第１レンズの縁厚を確保し易くすることができ、成形性を向上させることが可能となる。【００３８】
９．前記第５レンズの像側面は非球面形状に形成されており、その中心では負の屈折力を有し、周辺に向かうに従い負の屈折力が弱くなり、変曲点を有することを特徴とする前記１〜８の何れか１項に記載の撮像レンズ。【００３９】
第５レンズの像側面を、光軸から周辺に行くに従って負の屈折力が弱くなり、また変曲点を有する非球面形状とすることで、像側光束のテレセントリック特性を確保しやすくなる。また、第２レンズの像側面は、レンズ周辺部で過度に負の屈折力を弱くする必要がなくなり軸外収差を良好に補正することが可能となる。ここで、「変曲点」とは有効半径内でのレンズ断面形状の曲線において、非球面頂点の接平面が光軸と垂直な平面となるような非球面上の点のことである。【００４０】
１０．前記第１レンズから第５レンズの全てがプラスチック材料で形成されていることを特徴とする前記１〜９の何れか１項に記載の撮像レンズ。【００４１】
近年では、固体撮像装置全体の小型化を目的とし、同じ画素数の固体撮像素子であっても、画素ピッチが小さく、結果として撮像面サイズの小さいものが開発されている。このような撮像面サイズの小さい固体撮像素子向けの撮像レンズは、全系の焦点距離を比較的短くする必要があるため、各レンズの曲率半径や外径がかなり小さくなってしまう。従って、手間のかかる研磨加工により製造するガラスレンズと比較すれば、全てのレンズを、射出成形により製造されるプラスチックレンズで構成することにより、曲率半径や外径の小さなレンズであっても安価に大量生産が可能となる。また、プラスチックレンズはプレス温度を低くできることから、成形金型の損耗を抑えることができ、その結果、成形金型の交換回数やメンテナンス回数を減少させ、コスト低減を図ることができる。【００４２】
１１．被写体像を光電変換する固体撮像素子と、前記１〜１０の何れか１項に記載の撮像レンズを備えたことを特徴とする撮像装置。【００４３】
本発明の撮像レンズを備えることで、より小型かつ高性能な撮像装置を得ることができる。【００４４】
１２．前記１１に記載の撮像装置を備えたことを特徴とする携帯端末。【００４５】
本発明の撮像装置を備えることで、より小型かつ高性能な携帯端末を得ることができる。
【発明の効果】
【００４６】
本発明の撮像レンズ、撮像装置及び携帯端末によれば、従来タイプより小型でありながらも、諸収差を良好に補正して高性能な光学性能を得ることができる。
【図面の簡単な説明】
【００４７】
【図１】撮像装置の概略断面図である。
【図２】携帯電話機の外観図である。
【図３】実施例１のレンズの断面図である。
【図４】実施例１のレンズの収差図である。
【図５】実施例２のレンズの断面図である。
【図６】実施例２のレンズの収差図である。
【図７】実施例３のレンズの断面図である。
【図８】実施例３のレンズの収差図である。
【図９】実施例４のレンズの断面図である。
【図１０】実施例４のレンズの収差図である。
【図１１】実施例５のレンズの断面図である。
【図１２】実施例５のレンズの収差図である。
【図１３】実施例６のレンズの断面図である。
【図１４】実施例６のレンズの収差図である。
【図１５】実施例７のレンズの断面図である。
【図１６】実施例７のレンズの収差図である。
【図１７】実施例８のレンズの断面図である。
【図１８】実施例８のレンズの収差図である。
【図１９】実施例９のレンズの断面図である。
【図２０】実施例９のレンズの収差図である。
【発明を実施するための形態】
【００４８】
先ず、本発明の撮像レンズを備えた撮像装置の一例を図１に示す概略断面図に基づいて説明する。
【００４９】
撮像レンズＬは物体側より順に、第１レンズＬ１、第２レンズＬ２、第３レンズＬ３、第４レンズＬ４及び第５レンズＬ５から構成されている。第１レンズＬ１、第２レンズＬ２及び第３レンズＬ３はレンズ枠１１に保持され、レンズ枠１１における第１レンズＬ１の物体側には絞りＳが形成されている。一方、第４レンズＬ４及び第５レンズＬ５はレンズ枠１２に保持されている。また、第５レンズＬ５の像側には光学的ローパスフィルタ、ＩＲカットフィルタ、若しくは固体撮像素子Ｉのシールガラス等である平行平板Ｆがレンズ枠１２に保持されている。そして、被写体像は絞りＳにて光束が絞られ、撮像レンズＬ及び平行平板Ｆを透過して固体撮像素子Ｃの撮像面Ｉに結像し、光電変換される。固体撮像素子Ｃはプリント配線板Ｐに実装され、プリント配線板Ｐはレンズ枠１２に固着されていて、光電変換された被写体像の画像信号はプリント配線板Ｐを介して外部に送信される。
【００５０】
なお、第１レンズＬ１、第２レンズＬ２及び第３レンズＬ３を保持するレンズ枠１１をレンズ枠１２に対して光軸方向に移動させ、オートフォーカスやマクロ切り替え機能等での焦点位置合わせを行う。
【００５１】
次に、上記の撮像装置を搭載した携帯端末として携帯電話機の一例を図２の外観図に基づいて説明する。なお、図２（Ａ）は折り畳んだ携帯電話機を開いて内側から見た図であり、図２（Ｂ）は折り畳んだ携帯電話機を開いて外側から見た図である。
【００５２】
図２において、携帯電話機Ｔは、表示画面Ｄ１，Ｄ２を備えたケースとしての上筐体１０１と、操作ボタンＢを備えた下筐体１０２とがヒンジ１０３を介して連結されている。撮像装置は、上筐体１０１内の表示画面Ｄ２の下方に内蔵されていて、上筐体１０１の外表面に撮像レンズＬが露出している。
【００５３】
なお、この撮像装置の位置は上筐体１０１内の表示画面Ｄ２の上方や側面に配置してもよい。また、携帯電話機Ｔは折り畳み式に限定されるものではない。
【実施例】
【００５４】
以下に本発明の撮像レンズの実施例を示す。【００５５】
各実施例に使用する記号は下記の通りである。【００５６】
ｆ：撮像レンズ全系の焦点距離
ｆＢ：バックフォーカス
Ｆ：Ｆナンバー
２Ｙ：固体撮像素子の撮像面対角線長
ＥＮＴＰ：入射瞳位置（第１面から入射瞳位置までの距離）
ＥＸＴＰ：射出瞳位置（撮像面から射出瞳位置までの距離）
Ｈ１：前側主点位置（第１面から前側主点位置までの距離）
Ｈ２：後側主点位置（最終面から後側主点位置までの距離）
Ｒ：曲率半径
Ｄ：軸上面間隔
Ｎｄ：レンズ材料のｄ線に対する屈折率
νｄ：レンズ材料のアッベ数
なお、面データにおいて、Ｒ，Ｄ及び有効半径の単位はｍｍである。【００５７】
また、面データにおいて、各面番号の後に「＊」が記載されている面が非球面形状を有する面であり、非球面の形状は、面の頂点を原点とし、光軸方向にＸ軸をとり、光軸と垂直方向の高さをｈとして以下の「数１」で表す。【００５８】
【数１】
2011021271.tif 000003
【００５９】
但し、
Ａｉ：ｉ次の非球面係数
Ｒ  ：曲率半径
Ｋ  ：円錐定数
また、非球面係数において、１０のべき乗数（例えば２．５×１０−０２）をＥ（例えば２．５Ｅ−０２）を用いて表す。
（実施例１）
・撮像レンズの全体緒元を以下に示す。【００６０】
ｆ＝４．６３ｍｍ
ｆＢ＝０．４８ｍｍ
Ｆ＝２．８８
２Ｙ＝７．０１６ｍｍ
ＥＮＴＰ＝０ｍｍ
ＥＸＴＰ＝−２．９７ｍｍ
Ｈ１＝−１．５９ｍｍ
Ｈ２＝−４．１５ｍｍ
・撮像レンズの面データを以下に示す。【００６１】
面番号        Ｒ        Ｄ      Ｎｄ       νｄ   有効半径
１(絞り)      ∞      -0.050                       0.80
２(＊)       2.033     0.686    1.54470    56.2    0.88
３(＊)     -12.786     0.050                       0.96
４(＊)       8.852     0.300    1.63200    23.4    0.98
５(＊)       2.389     0.591                       1.03
６(＊)      -8.677     0.642    1.54470    56.2    1.20
７(＊)      -3.322     0.483                       1.42
８(＊)      -2.286     0.738    1.54470    56.2    1.65
９(＊)      -1.192     0.464                       1.87
10(＊)     -18.636     0.540    1.54470    56.2    2.41
11(＊)       1.450     0.600                       2.97
12            ∞       0.145    1.51630    64.1    3.28
13            ∞                                   3.32
・撮像レンズの非球面係数を以下に示す。【００６２】
第２面
K=0.12198E+00,A4=-0.71072E-03,A6=-0.86790E-03,
A8=-0.80391E-02,A10=0.97290E-03,A12=0.57532E-02,
A14=-0.32178E-02
第３面
K=0.30000E+02,A4=0.74126E-02,A6=-0.13036E-01,
A8=0.61402E-02,A10=0.18251E-02,A12=-0.36657E-02,
A14=0.36286E-02
第４面
K=0.19169E+00,A4=-0.40663E-01,A6=0.25243E-01,
A8=-0.30394E-02,A10=0.38707E-02,A12=0.10939E-02,
A14=-0.13121E-02
第５面
K=-0.59793E+01,A4=0.11737E-01,A6=0.26830E-01,
A8=-0.45536E-02,A10=0.49326E-02,A12=0.30501E-03,
A14=-0.79395E-03
第６面
K=0.28708E+02,A4=-0.35476E-01,A6=-0.81047E-02,
A8=0.41706E-02,A10=0.13542E-02,A12=0.97322E-03,
A14=0.10377E-02
第７面
K=0.15874E+01,A4=-0.18118E-01,A6=-0.29331E-02,
A8=-0.84815E-03,A10=0.40327E-03,A12=0.47645E-03,
A14=0.21365E-03
第８面
K=-0.49021E-01,A4=0.17792E-01,A6=0.53331E-03,
A8=0.59862E-03,A10=-0.14526E-04,A12=-0.10324E-04,
A14=0.86216E-05
第９面
K=-0.31540E+01,A4=-0.39857E-01,A6=0.16012E-01,
A8=-0.20775E-02,A10=0.20495E-03,A12=-0.81553E-05,
A14=0.30220E-06
第10面
K=0.27379E+02,A4=-0.44134E-01,A6=0.75013E-02,
A8=-0.22670E-03,A10=-0.11611E-03,A12=0.24952E-04,
A14=-0.15619E-05
第11面
K=-0.73425E+01,A4=-0.33704E-01,A6=0.64660E-02,
A8=-0.91521E-03,A10=0.65512E-04,A12=-0.24773E-05,
A14=0.56535E-07
・撮像レンズの単レンズデータを以下に示す。【００６３】
レンズ  始面    焦点距離(mm)
１       2        3.273
２       4       -5.272
３       6        9.480
４       8        3.692
５      10       -2.447
・撮像レンズの条件式（１）〜（８）に対応する値を以下に示す。
（１）（ｒ７＋ｒ８）／（ｒ７−ｒ８）＝３．１７８
（２）ＳＬ／ｆ＝１．２１４
（３）ｆ４／ｆ＝０．７９８
（４）ｆ３／ｆ４＝２．５６８
（５）ν１−ν２＝３２．６
（６）ｎ２＝１．６３２
（７）ｄ６／ｆ＝０．１０４
（８）Ｌ／２Ｙ＝０．７９
図３は撮像レンズの断面図である。Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図４は撮像レンズの収差図（球面収差、非点収差、歪曲収差、メリディオナルコマ収差）である。【００６４】
本実施例において、全てのレンズはプラスチック材料から形成されており、オートフォーカスやマクロ切り替え機能等での焦点位置合わせを、第１レンズＬ１から第３レンズＬ３までを一体で移動させて行う部分群繰り出しを想定している。【００６５】
また、撮像レンズ全長の短縮に伴って、より撮像レンズ全系の合成主点位置を物体側へ配置する必要が出てくるため、第１レンズＬ１の屈折力が強くなる傾向にある。そのため第１レンズＬ１の偏芯誤差感度が増大してしまう。そこで、第１レンズＬ１で調芯することによって、全系で発生する片ボケと呼ばれる画面内の非対称なボケを低減させることができる。本実施例では、この調芯を行うことを前提としている。【００６６】
ここで調芯とは、レンズを光軸に対して偏芯させることによって、第１レンズＬ１以外に起因する片ボケをキャンセルさせて低減させることをいう。なお、光軸に対して偏芯させる場合、平行偏芯だけではなく、傾き偏芯させてもよい。また、片ボケを低減させるのではなく、軸上コマ収差を低減させる目的で調芯を行ってもよい。
（実施例２）
・撮像レンズの全体緒元を以下に示す。【００６７】
ｆ＝５．６７ｍｍ
ｆＢ＝０．５ｍｍ
Ｆ＝２．８８
２Ｙ＝７．０１６ｍｍ
ＥＮＴＰ＝０ｍｍ
ＥＸＴＰ＝−２．７５ｍｍ
Ｈ１＝−４．２１ｍｍ
Ｈ２＝−５．１７ｍｍ
・撮像レンズの面データを以下に示す。【００６８】
面番号        Ｒ        Ｄ      Ｎｄ       νｄ   有効半径
１(絞り)      ∞      -0.210                       0.98
２(＊)       1.789     0.762    1.54470    56.2    1.04
３(＊)      32.773     0.050                       1.03
４(＊)       8.946     0.300    1.63200    23.4    1.03
５(＊)       2.457     0.787                       1.03
６(＊)      -7.885     0.863    1.54470    56.2    1.30
７(＊)      -3.100     0.600                       1.57
８(＊)      -2.496     0.544    1.54470    56.2    1.79
９(＊)      -1.854     0.910                       1.96
10(＊)      -3.401     0.450    1.54470    56.2    2.29
11(＊)       3.725     0.300                       2.82
12            ∞       0.145    1.51630    64.1    3.26
13            ∞                                   3.30
・撮像レンズの非球面係数を以下に示す。【００６９】
第２面
K=0.25491E+00,A4=0.16645E-02,A6=0.23998E-02,
A8=-0.65481E-03,A10=0.17917E-03,A12=0.33827E-02,
A14=-0.76817E-03
第３面
K=-0.30000E+02,A4=0.91582E-02,A6=0.92103E-02,
A8=0.11014E-01,A10=0.27918E-02,A12=-0.57226E-02,
A14=0.82212E-03
第４面
K=0.25687E+02,A4=-0.21604E-01,A6=0.22333E-01,
A8=-0.13785E-02,A10=0.25428E-02,A12=-0.19960E-02,
A14=-0.55690E-02
第５面
K=-0.25703E+01,A4=0.25673E-01,A6=0.30181E-01,
A8=-0.18004E-02,A10=0.62950E-02,A12=-0.14319E-02,
A14=-0.27246E-03
第６面
K=0.29426E+02,A4=-0.28196E-01,A6=-0.23682E-02,
A8=0.72490E-03,A10=-0.15095E-02,A12=0.39723E-03,
A14=0.10607E-02
第７面
K=0.13046E+01,A4=-0.20555E-01,A6=0.14491E-02,
A8=-0.22122E-02,A10=-0.58787E-04,A12=0.63240E-04,
A14=0.45587E-04
第８面
K=0.55833E+00,A4=0.54873E-02,A6=-0.18708E-02,
A8=0.10416E-02,A10=-0.99807E-04,A12=0.57013E-05,
A14=0.30343E-04
第９面
K=-0.44160E+01,A4=-0.44178E-01,A6=0.10161E-01,
A8=-0.21360E-02,A10=0.34269E-03,A12=0.99841E-05,
A14=0.36643E-06
第10面
K=0.45260E+00,A4=-0.51468E-01,A6=0.93903E-02,
A8=-0.98822E-04,A10=-0.10497E-03,A12=0.25662E-04,
A14=-0.18668E-05
第11面
K=-0.35812E+02,A4=-0.40083E-01,A6=0.56390E-02,
A8=-0.71357E-03,A10=0.73512E-04,A12=-0.44111E-05,
A14=0.10307E-06
・撮像レンズの単レンズデータを以下に示す。【００７０】
レンズ  始面    焦点距離(mm)
１       2        3.445
２       4       -5.457
３       6        8.818
４       8       10.193
５      10       -3.193
・撮像レンズの条件式（１）〜（８）に対応する値を以下に示す。
（１）（ｒ７＋ｒ８）／（ｒ７−ｒ８）＝６．７７６
（２）ＳＬ／ｆ＝１．０５０
（３）ｆ４／ｆ＝１．７９９
（４）ｆ３／ｆ４＝０．８６５
（５）ν１−ν２＝３２．６
（６）ｎ２＝１．６３２
（７）ｄ６／ｆ＝０．１０６
（８）Ｌ／２Ｙ＝０．８６
図５は実施例２の撮像レンズの断面図である。Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図６は実施例２の撮像レンズの収差図（球面収差、非点収差、歪曲収差、メリディオナルコマ収差）である。【００７１】
本実施例において、全てのレンズはプラスチック材料から形成されており、オートフォーカスやマクロ切り替え機能等での焦点位置合わせを、第１レンズＬ１から第３レンズＬ３までを一体で移動させて行う部分群繰り出しを想定している。【００７２】
また、本実施例では第１レンズＬ１による調芯を前提としている。
（実施例３）
・撮像レンズの全体緒元を以下に示す。【００７３】
ｆ＝４．７５ｍｍ
ｆＢ＝０．４９ｍｍ
Ｆ＝２．８８
２Ｙ＝７．０１６ｍｍ
ＥＮＴＰ＝０ｍｍ
ＥＸＴＰ＝−２．９１ｍｍ
Ｈ１＝−１．８８ｍｍ
Ｈ２＝−４．２５ｍｍ
・撮像レンズの面データを以下に示す。【００７４】
面番号        Ｒ        Ｄ      Ｎｄ       νｄ   有効半径
１(絞り)      ∞      -0.073                       0.84
２(＊)       1.934     0.667    1.49700    81.6    0.92
３(＊)     -47.809     0.073                       0.98
４(＊)       4.766     0.300    1.63200    23.4    1.03
５(＊)       2.342     0.589                       1.05
６(＊)      -9.253     0.632    1.54470    56.2    1.20
７(＊)      -4.123     0.493                       1.40
８(＊)      -2.489     0.734    1.54470    56.2    1.59
９(＊)      -1.198     0.446                       1.87
10(＊)     -14.235     0.539    1.54470    56.2    2.43
11(＊)       1.443     0.600                       2.95
12            ∞       0.145    1.51630    64.1    3.28
13            ∞                                   3.32
・撮像レンズの非球面係数を以下に示す。【００７５】
第２面
K=0.13772E+00,A4=-0.87773E-03,A6=0.18123E-02,
A8=-0.60787E-02,A10=0.21615E-02,A12=0.58622E-02,
A14=-0.28350E-02
第３面
K=0.30000E+02,A4=0.79602E-02,A6=-0.38490E-03,
A8=0.10461E-01,A10=0.12913E-02,A12=-0.44337E-02,
A14=0.43425E-02
第４面
K=0.35590E+01,A4=-0.36662E-01,A6=0.26138E-01,
A8=-0.16470E-02,A10=0.43560E-02,A12=0.63515E-03,
A14=-0.13734E-02
第５面
K=-0.49965E+01,A4=0.11670E-01,A6=0.23574E-01,
A8=-0.49020E-02,A10=0.63906E-02,A12=0.16798E-02,
A14=-0.72456E-03
第６面
K=0.27405E+02,A4=-0.37115E-01,A6=-0.68643E-02,
A8=0.44963E-02,A10=0.98719E-03,A12=0.80935E-03,
A14=0.14102E-02
第７面
K=0.24832E+01,A4=-0.24318E-01,A6=-0.36567E-02,
A8=-0.10321E-02,A10=0.53577E-03,A12=0.60029E-03,
A14=0.25186E-03
第８面
K=0.30214E+00,A4=0.11961E-01,A6=-0.30818E-02,
A8=0.36932E-04,A10=-0.32668E-04,A12=0.12716E-04,
A14=0.68304E-05
第９面
K=-0.33156E+01,A4=-0.39887E-01,A6=0.16135E-01,
A8=-0.23062E-02,A10=0.13288E-03,A12=-0.15866E-04,
A14=0.38298E-05
第10面
K=0.20282E+02,A4=-0.40585E-01,A6=0.76051E-02,
A8=-0.24424E-03,A10=-0.12022E-03,A12=0.24613E-04,
A14=-0.14874E-05
第11面
K=-0.78153E+01,A4=-0.33411E-01,A6=0.64388E-02,
A8=-0.94677E-03,A10=0.70562E-04,A12=-0.26550E-05,
A14=0.54331E-07
・撮像レンズの単レンズデータを以下に示す。
レンズ    始面    焦点距離(mm)
１       2        3.756
２       4       -7.651
３       6       13.085
４       8        3.530
５      10       -2.376
・撮像レンズの条件式（１）〜（８）に対応する値を以下に示す。
（１）（ｒ７＋ｒ８）／（ｒ７−ｒ８）＝２．８５５
（２）ＳＬ／ｆ＝１．１７７
（３）ｆ４／ｆ＝０．７４３
（４）ｆ３／ｆ４＝３．７０７
（５）ν１−ν２＝５８．２
（６）ｎ２＝１．６３２
（７）ｄ６／ｆ＝０．１０４
（８）Ｌ／２Ｙ＝０．７９
図７は実施例３のレンズの断面図である。Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図８は実施例３の収差図（球面収差、非点収差、歪曲収差、メリディオナルコマ収差）である。【００７６】
本実施例において、第１レンズＬ１はガラスモールドレンズ、それ以外のレンズはプラスチック材料から形成されており、オートフォーカスやマクロ切り替え機能等での焦点位置合わせを、第１レンズＬ１から第３レンズＬ３までを一体で移動させて行う部分群繰り出しを想定している。【００７７】
また、本実施例では第１レンズＬ１による調芯を前提としている。
（実施例４）
・撮像レンズの全体緒元を以下に示す。【００７８】
ｆ＝４．７２ｍｍ
ｆＢ＝０．４７ｍｍ
Ｆ＝２．８８
２Ｙ＝７．０１６ｍｍ
ＥＮＴＰ＝０ｍｍ
ＥＸＴＰ＝−２．９５ｍｍ
Ｈ１＝−１．８ｍｍ
Ｈ２＝−４．２６ｍｍ
・撮像レンズの面データを以下に示す。【００７９】
面番号        Ｒ        Ｄ      Ｎｄ       νｄ   有効半径
１(絞り)      ∞      -0.034                       0.82
２(＊)       2.013     0.808    1.54470    56.2    0.91
３(＊)      -5.260     0.050                       1.00
４(＊)     -15.895     0.300    1.58300    30.0    1.00
５(＊)       2.591     0.572                       1.07
６(＊)     -19.256     0.674    1.54470    56.2    1.25
７(＊)      -3.813     0.455                       1.48
８(＊)      -2.126     0.699    1.54470    56.2    1.66
９(＊)      -1.180     0.496                       1.89
10(＊)     -13.874     0.450    1.54470    56.2    2.42
11(＊)       1.492     0.600                       2.93
12            ∞       0.145    1.51630    64.1    3.28
13            ∞                                   3.32
・撮像レンズの非球面係数を以下に示す。【００８０】
第２面
K=0.10080E-01,A4=-0.28888E-02,A6=-0.39224E-02,
A8=-0.10095E-01,A10=-0.64321E-03,A12=0.33368E-02,
A14=-0.83855E-02
第３面
K=0.17593E+02,A4=0.68989E-02,A6=-0.24476E-01,
A8=-0.51515E-04,A10=-0.66266E-03,A12=-0.60012E-02,
A14=-0.13841E-02
第４面
K=0.30000E+02,A4=-0.50797E-01,A6=0.19979E-01,
A8=-0.86800E-02,A10=-0.17009E-02,A12=-0.22618E-02,
A14=-0.17768E-02
第５面
K=-0.78722E+01,A4=0.15937E-01,A6=0.31316E-01,
A8=-0.61323E-02,A10=0.44388E-02,A12=0.45833E-03,
A14=-0.16503E-02
第６面
K=0.30000E+02,A4=-0.35955E-01,A6=-0.76287E-02,
A8=0.37009E-02,A10=-0.80047E-04,A12=-0.58720E-05,
A14=0.76127E-03
第７面
K=0.15645E+01,A4=-0.17291E-01,A6=-0.25578E-02,
A8=-0.95646E-03,A10=0.34055E-03,A12=0.34349E-03,
A14=0.45210E-04
第８面
K=-0.13631E+00,A4=0.18926E-01,A6=0.12474E-02,
A8=0.88858E-03,A10=-0.19331E-04,A12=-0.29333E-04,
A14=0.49655E-05
第９面
K=-0.31788E+01,A4=-0.40092E-01,A6=0.16751E-01,
A8=-0.20937E-02,A10=0.19050E-03,A12=-0.10806E-04,
A14=-0.10048E-05
第10面
K=0.12332E+02,A4=-0.44348E-01,A6=0.76586E-02,
A8=-0.21917E-03,A10=-0.11885E-03,A12=0.24712E-04,
A14=-0.15356E-05
第11面
K=-0.80799E+01,A4=-0.35226E-01,A6=0.66057E-02,
A8=-0.91396E-03,A10=0.65503E-04,A12=-0.26811E-05,
A14=0.73417E-07
・撮像レンズの単レンズデータを以下に示す。【００８１】
レンズ  始面    焦点距離(mm)
１       2        2.782
２       4       -3.799
３       6        8.595
４       8        3.865
５      10       -2.448
・撮像レンズの条件式（１）〜（８）に対応する値を以下に示す。
（１）（ｒ７＋ｒ８）／（ｒ７−ｒ８）＝３．４９７
（２）ＳＬ／ｆ＝１．１９２
（３）ｆ４／ｆ＝０．８１８
（４）ｆ３／ｆ４＝２．２２４
（５）ν１−ν２＝２６．０
（６）ｎ２＝１．５８３
（７）ｄ６／ｆ＝０．０９６
（８）Ｌ／２Ｙ＝０．７９
図９は実施例４のレンズの断面図である。Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図１０は実施例４の収差図（球面収差、非点収差、歪曲収差、メリディオナルコマ収差）である。【００８２】
本実施例において、全てのレンズはプラスチック材料から形成されており、オートフォーカスやマクロ切り替え機能等での焦点位置合わせを、第１レンズＬ１から第３レンズＬ３までを一体で移動させて行う部分群繰り出しを想定している。【００８３】
また、本実施例では第１レンズＬ１による調芯を前提としている。
（実施例５）
・撮像レンズの全体緒元を以下に示す。【００８４】
ｆ＝４．７６ｍｍ
ｆＢ＝０．５１ｍｍ
Ｆ＝２．８８
２Ｙ＝７．０１６ｍｍ
ＥＮＴＰ＝０ｍｍ
ＥＸＴＰ＝−２．８８ｍｍ
Ｈ１＝−１．９４ｍｍ
Ｈ２＝−４．２５ｍｍ
・撮像レンズの面データを以下に示す。【００８５】
面番号        Ｒ        Ｄ      Ｎｄ       νｄ   有効半径
１(絞り)      ∞      -0.077                       0.84
２(＊)       1.919     0.657    1.49700    81.6    0.93
３(＊)     411.614     0.052                       0.99
４(＊)       3.420     0.321    2.00020    19.3    1.04
５(＊)       2.290     0.596                       1.02
６(＊)      -7.380     0.590    1.54470    56.2    1.17
７(＊)      -4.183     0.457                       1.37
８(＊)      -2.723     0.791    1.54470    56.2    1.56
９(＊)      -1.204     0.471                       1.85
10(＊)     -14.440     0.520    1.54470    56.2    2.43
11(＊)       1.429     0.600                       2.94
12            ∞       0.145    1.51630    64.1    3.26
13            ∞                                   3.30
・撮像レンズの非球面係数を以下に示す。【００８６】
第２面
K=0.14541E+00,A4=-0.77607E-03,A6=0.24189E-02,
A8=-0.58371E-02,A10=0.19501E-02,A12=0.56443E-02,
A14=-0.24883E-02
第３面
K=-0.30000E+02,A4=0.65178E-02,A6=0.79156E-02,
A8=0.11430E-01,A10=-0.99688E-03,A12=-0.63741E-02,
A14=0.27807E-02
第４面
K=0.35535E+01,A4=-0.35136E-01,A6=0.23600E-01,
A8=-0.35482E-02,A10=0.29306E-02,A12=-0.27257E-03,
A14=-0.19308E-02
第５面
K=-0.41861E+01,A4=0.14176E-01,A6=0.23207E-01,
A8=-0.40956E-02,A10=0.74584E-02,A12=0.16841E-02,
A14=-0.17571E-02
第６面
K=0.28776E+02,A4=-0.43642E-01,A6=-0.75156E-02,
A8=0.62048E-02,A10=0.23665E-02,A12=0.19778E-02,
A14=0.23745E-02
第７面
K=0.33134E+01,A4=-0.30011E-01,A6=-0.44610E-02,
A8=-0.13122E-02,A10=0.78615E-03,A12=0.85884E-03,
A14=0.42316E-03
第８面
K=0.45439E+00,A4=0.10788E-01,A6=-0.47480E-02,
A8=0.99177E-05,A10=-0.10193E-03,A12=-0.15417E-04,
A14=0.15175E-04
第９面
K=-0.33457E+01,A4=-0.40916E-01,A6=0.16615E-01,
A8=-0.24657E-02,A10=0.75700E-04,A12=-0.18737E-04,
A14=0.77174E-05
第10面
K=0.17625E+02,A4=-0.42342E-01,A6=0.79897E-02,
A8=-0.23043E-03,A10=-0.12757E-03,A12=0.24049E-04,
A14=-0.13779E-05
第11面
K=-0.76520E+01,A4=-0.34264E-01,A6=0.65689E-02,
A8=-0.97420E-03,A10=0.75519E-04,A12=-0.30450E-05,
A14=0.64750E-07
・撮像レンズの単レンズデータを以下に示す。【００８７】
レンズ  始面    焦点距離(mm)
１       2        3.877
２       4       -8.083
３       6       16.644
４       8        3.349
５      10       -2.361
・撮像レンズの条件式（１）〜（８）に対応する値を以下に示す。
（１）（ｒ７＋ｒ８）／（ｒ７−ｒ８）＝２．５８５
（２）ＳＬ／ｆ＝１．１７３
（３）ｆ４／ｆ＝０．７０３
（４）ｆ３／ｆ４＝４．９７０
（５）ν１−ν２＝６２．３
（６）ｎ２＝２．０００
（７）ｄ６／ｆ＝０．０９９
（８）Ｌ／２Ｙ＝０．７９
図１１は実施例５のレンズの断面図である。Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図１２は実施例５の収差図（球面収差、非点収差、歪曲収差、メリディオナルコマ収差）である。【００８８】
本実施例において、第１レンズＬ１及び第２レンズＬ２はガラスモールドレンズ、それ以外のレンズはプラスチック材料から形成されており、オートフォーカスやマクロ切り替え機能等での焦点位置合わせを、第１レンズＬ１から第３レンズＬ３までを一体で移動させて行う部分群繰り出しを想定している。【００８９】
また、本実施例では第１レンズＬ１による調芯を前提としている。
（実施例６）
・撮像レンズの全体緒元を以下に示す。【００９０】
ｆ＝５．０２ｍｍ
ｆＢ＝０．７ｍｍ
Ｆ＝２．８８
２Ｙ＝７．０１６ｍｍ
ＥＮＴＰ＝０ｍｍ
ＥＸＴＰ＝−３．３６ｍｍ
Ｈ１＝−１．１７ｍｍ
Ｈ２＝−４．３１ｍｍ
・撮像レンズの面データを以下に示す。【００９１】
面番号        Ｒ        Ｄ      Ｎｄ       νｄ   有効半径
１(絞り)      ∞      -0.052                       0.87
２(＊)       1.963     0.740    1.54470    56.2    0.99
３(＊)     -25.320     0.053                       1.03
４(＊)       6.156     0.300    1.63200    23.4    1.05
５(＊)       2.124     0.706                       1.07
６(＊)      -7.235     0.700    1.54470    56.2    1.26
７(＊)      -3.210     0.458                       1.51
８(＊)      -2.056     0.813    1.54470    56.2    1.69
９(＊)      -1.110     0.400                       1.92
10(＊)     -19.798     0.491    1.54470    56.2    2.49
11(＊)       1.505     0.600                       2.92
12            ∞       0.145    1.51630    64.1    3.24
13            ∞                                   3.27
・撮像レンズの非球面係数を以下に示す。【００９２】
第２面
K=0.22872E+00,A4=0.11258E-02,A6=0.35117E-02,
A8=-0.63204E-02,A10=0.79095E-03,A12=0.54005E-02,
A14=-0.20981E-02
第３面
K=-0.30000E+02,A4=0.14026E-01,A6=-0.80919E-02,
A8=0.71966E-02,A10=0.20250E-02,A12=-0.43477E-02,
A14=0.22859E-02
第４面
K=-0.46024E+01,A4=-0.42217E-01,A6=0.25928E-01,
A8=-0.38047E-02,A10=0.14132E-02,A12=-0.74428E-03,
A14=-0.18697E-02
第５面
K=-0.51139E+01,A4=0.15116E-01,A6=0.27060E-01,
A8=-0.51308E-02,A10=0.53222E-02,A12=0.53802E-03,
A14=-0.16078E-02
第６面
K=0.22607E+02,A4=-0.34517E-01,A6=-0.95045E-02,
A8=0.32882E-02,A10=0.10679E-03,A12=0.41400E-03,
A14=0.12149E-02
第７面
K=0.16520E+01,A4=-0.16488E-01,A6=-0.28195E-02,
A8=-0.12173E-02,A10=0.72136E-04,A12=0.27934E-03,
A14=0.11888E-03
第８面
K=-0.11817E+00,A4=0.98232E-02,A6=0.13191E-02,
A8=0.84171E-03,A10=-0.45299E-04,A12=-0.19156E-04,
A14=0.21201E-04
第９面
K=-0.29968E+01,A4=-0.53098E-01,A6=0.15866E-01,
A8=-0.21642E-02,A10=0.21132E-03,A12=0.34310E-06,
A14=0.16613E-05
第10面
K=-0.33298E+01,A4=-0.43356E-01,A6=0.74354E-02,
A8=-0.25845E-03,A10=-0.12248E-03,A12=0.24598E-04,
A14=-0.13977E-05
第11面
K=-0.84033E+01,A4=-0.37344E-01,A6=0.65139E-02,
A8=-0.88701E-03,A10=0.66015E-04,A12=-0.28215E-05,
A14=0.77371E-07
・撮像レンズの単レンズデータを以下に示す。【００９３】
レンズ  始面    焦点距離(mm)
１       2        3.376
２       4       -5.282
３       6        9.982
４       8        3.397
５      10       -2.547
・撮像レンズの条件式（１）〜（８）に対応する値を以下に示す。
（１）（ｒ７＋ｒ８）／（ｒ７−ｒ８）＝３．３４４
（２）ＳＬ／ｆ＝１．１９８
（３）ｆ４／ｆ＝０．６７７
（４）ｆ３／ｆ４＝２．９３８
（５）ν１−ν２＝３２．６
（６）ｎ２＝１．６３２
（７）ｄ６／ｆ＝０．０９１
（８）Ｌ／２Ｙ＝０．８５
図１３は実施例６のレンズの断面図である。Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図１４は実施例６の収差図（球面収差、非点収差、歪曲収差、メリディオナルコマ収差）である。【００９４】
本実施例において、全てのレンズはプラスチック材料から形成されており、オートフォーカスやマクロ切り替え機能等での焦点位置合わせを、第１レンズＬ１から第３レンズＬ３までを一体で移動させて行う部分群繰り出しを想定している。【００９５】
また、本実施例では第１レンズＬ１による調芯を前提としている。
（実施例７）
・撮像レンズの全体緒元を以下に示す。【００９６】
ｆ＝４．６７ｍｍ
ｆＢ＝０．７ｍｍ
Ｆ＝２．８
２Ｙ＝７．０１６ｍｍ
ＥＮＴＰ＝０ｍｍ
ＥＸＴＰ＝−３．８９ｍｍ
Ｈ１＝−０．０８ｍｍ
Ｈ２＝−３．９７ｍｍ
・撮像レンズの面データを以下に示す。【００９７】
面番号        Ｒ        Ｄ      Ｎｄ       νｄ   有効半径
１(絞り)      ∞       0.050                       0.83
２(＊)       7.940     0.800    1.54470    56.2    0.85
３(＊)      -2.469     0.101                       1.07
４(＊)       3.895     0.426    1.63200    23.4    1.26
５(＊)       1.632     1.001                       1.32
６(＊)      26.607     1.175    1.54470    56.2    1.82
７(＊)      -3.200     0.400                       2.00
８(＊)      -1.734     0.486    1.54470    56.2    2.09
９(＊)      -1.029     0.100                       2.16
10(＊)       3.454     0.533    1.54470    56.2    2.46
11(＊)       0.917     0.600                       3.01
12            ∞       0.300    1.51630    64.1    3.20
13            ∞                                   3.27
・撮像レンズの非球面係数を以下に示す。【００９８】
第２面
K=-0.30000E+02,A4=-0.25530E-01,A6=-0.10297E-01,
A8=-0.15329E-01,A10=0.10320E-01,A12=-0.51000E-03,
A14=-0.20491E-02
第３面
K=-0.22044E+01,A4=0.40354E-02,A6=-0.37192E-01,
A8=0.14675E-01,A10=0.47227E-03,A12=-0.65765E-02,
A14=0.31637E-02
第４面
K=-0.10853E+02,A4=-0.32693E-01,A6=0.25188E-01,
A8=-0.10304E-01,A10=0.23617E-02,A12=0.16228E-02,
A14=-0.67773E-03
第５面
K=-0.45099E+01,A4=-0.79349E-02,A6=0.16704E-01,
A8=-0.97214E-02,A10=0.26187E-02,A12=0.39605E-03,
A14=-0.19963E-03
第６面
K=0.90364E+01,A4=0.68755E-02,A6=-0.10416E-01,
A8=0.35310E-02,A10=0.25200E-03,A12=-0.34061E-03,
A14=0.47853E-04
第７面
K=0.59479E+00,A4=0.12962E-01,A6=-0.40194E-02,
A8=-0.11527E-03,A10=0.11669E-03,A12=0.28478E-04,
A14=-0.49433E-05
第８面
K=-0.43179E+00,A4=0.37096E-01,A6=0.98140E-03,
A8=0.92866E-03,A10=-0.30222E-04,A12=-0.28923E-04,
A14=0.62055E-05
第９面
K=-0.37450E+01,A4=-0.55748E-01,A6=0.20347E-01,
A8=-0.20951E-02,A10=0.20454E-03,A12=-0.94418E-05,
A14=-0.12837E-05
第10面
K=-0.56635E+01,A4=-0.80954E-01,A6=0.10365E-01,
A8=-0.31383E-05,A10=-0.13946E-03,A12=0.20848E-04,
A14=-0.10865E-05
第11面
K=-0.43287E+01,A4=-0.39994E-01,A6=0.66722E-02,
A8=-0.91607E-03,A10=0.85074E-04,A12=-0.46694E-05,
A14=0.10462E-06
・撮像レンズの単レンズデータを以下に示す。【００９９】
レンズ  始面    焦点距離(mm)
１       2        3.554
２       4       -4.796
３       6        5.319
４       8        3.741
５      10       -2.475
・撮像レンズの条件式（１）〜（８）に対応する値を以下に示す。
（１）（ｒ７＋ｒ８）／（ｒ７−ｒ８）＝３．９２２
（２）ＳＬ／ｆ＝１．４０７
（３）ｆ４／ｆ＝０．８０１
（４）ｆ３／ｆ４＝１．４２２
（５）ν１−ν２＝３２．６
（６）ｎ２＝１．６３２
（７）ｄ６／ｆ＝０．０８６
（８）Ｌ／２Ｙ＝０．９３
図１５は実施例７のレンズの断面図である。Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図１６は実施例７の収差図（球面収差、非点収差、歪曲収差、メリディオナルコマ収差）である。【０１００】
本実施例において、全てのレンズはプラスチック材料から形成されており、オートフォーカスやマクロ切り替え機能等での焦点位置合わせを、第１レンズＬ１から第３レンズＬ３までを一体で移動させて行う部分群繰り出しを想定している。【０１０１】
また、本実施例では第１レンズＬ１による調芯を前提としている。
（実施例８）
・撮像レンズの全体緒元を以下に示す。【０１０２】
ｆ＝４．６７ｍｍ
ｆＢ＝０．７９ｍｍ
Ｆ＝２．８
２Ｙ＝７．０１６ｍｍ
ＥＮＴＰ＝０ｍｍ
ＥＸＴＰ＝−３．８２ｍｍ
Ｈ１＝−０．０６ｍｍ
Ｈ２＝−３．８８ｍｍ
・撮像レンズの面データを以下に示す。【０１０３】
面番号        Ｒ        Ｄ      Ｎｄ       νｄ   有効半径
１(絞り)      ∞       0.000                       0.83
２(＊)       4.338     1.060    1.54470    56.2    0.85
３(＊)      -3.261     0.050                       1.13
４(＊)       3.777     0.426    1.63200    23.4    1.26
５(＊)       1.655     0.730                       1.32
６(＊)     -15.301     0.834    1.54470    56.2    1.56
７(＊)      -3.268     0.301                       1.75
８(＊)      -2.158     0.680    1.54470    56.2    1.98
９(＊)      -1.250     0.100                       2.11
10(＊)       4.019     0.731    1.54470    56.2    2.49
11(＊)       1.167     0.600                       2.98
12            ∞       0.300    1.51630    64.1    3.18
13            ∞                                   3.24
・撮像レンズの非球面係数を以下に示す。【０１０４】
第２面
K=-0.11529E+01,A4=-0.12315E-01,A6=-0.17373E-02,
A8=-0.10136E-01,A10=0.85871E-02,A12=-0.57045E-03,
A14=-0.20491E-02
第３面
K=-0.46540E+01,A4=0.16705E-01,A6=-0.31022E-01,
A8=0.12878E-01,A10=0.17465E-02,A12=-0.52988E-02,
A14=0.19910E-02
第４面
K=-0.56239E+01,A4=-0.30406E-01,A6=0.22674E-01,
A8=-0.11014E-01,A10=0.19630E-02,A12=0.15868E-02,
A14=-0.58687E-03
第５面
K=-0.45094E+01,A4=0.50515E-02,A6=0.16648E-01,
A8=-0.11130E-01,A10=0.27593E-02,A12=0.70672E-03,
A14=-0.34114E-03
第６面
K=0.80000E+02,A4=-0.63214E-02,A6=-0.84416E-02,
A8=0.56682E-02,A10=0.59386E-03,A12=-0.34629E-03,
A14=0.32661E-04
第７面
K=0.19417E+01,A4=0.44144E-02,A6=-0.33790E-02,
A8=0.74821E-03,A10=0.34837E-03,A12=0.78097E-04,
A14=0.46394E-05
第８面
K=-0.21741E+00,A4=0.45377E-01,A6=-0.24638E-03,
A8=0.45745E-03,A10=-0.83017E-05,A12=-0.18840E-04,
A14=0.24646E-05
第９面
K=-0.35183E+01,A4=-0.33241E-01,A6=0.18086E-01,
A8=-0.22745E-02,A10=0.16508E-03,A12=-0.14002E-04,
A14=0.26538E-06
第10面
K=-0.65715E+01,A4=-0.64437E-01,A6=0.96449E-02,
A8=-0.11326E-03,A10=-0.14314E-03,A12=0.21400E-04,
A14=-0.10765E-05
第11面
K=-0.46352E+01,A4=-0.35746E-01,A6=0.61166E-02,
A8=-0.86560E-03,A10=0.73686E-04,A12=-0.36214E-05,
A14=0.86848E-07
・撮像レンズの単レンズデータを以下に示す。【０１０５】
レンズ  始面    焦点距離(mm)
１       2        3.594
２       4       -5.055
３       6        7.446
４       8        4.314
５      10       -3.317
・撮像レンズの条件式（１）〜（８）に対応する値を以下に示す。
（１）（ｒ７＋ｒ８）／（ｒ７−ｒ８）＝３．７５３
（２）ＳＬ／ｆ＝１．３９２
（３）ｆ４／ｆ＝０．９２３
（４）ｆ３／ｆ４＝１．７２６
（５）ν１−ν２＝３２．６
（６）ｎ２＝１．６３２
（７）ｄ６／ｆ＝０．０６４
（８）Ｌ／２Ｙ＝０．９３
図１７は実施例８のレンズの断面図である。Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図１８は実施例８の収差図（球面収差、非点収差、歪曲収差、メリディオナルコマ収差）である。【０１０６】
本実施例において、全てのレンズはプラスチック材料から形成されており、オートフォーカスやマクロ切り替え機能等での焦点位置合わせを、第１レンズＬ１から第３レンズＬ３までを一体で移動させて行う部分群繰り出しを想定している。【０１０７】
また、本実施例では第１レンズＬ１による調芯を前提としている。
（実施例９）
・実施例９の撮像レンズの全体緒元を以下に示す。【０１０８】
ｆ＝５．５８ｍｍ
ｆＢ＝０．５６ｍｍ
Ｆ＝２．０
２Ｙ＝７．０１６ｍｍ
ＥＮＴＰ＝０ｍｍ
ＥＸＴＰ＝−３．４１ｍｍ
Ｈ１＝−２．２６ｍｍ
Ｈ２＝−５．０２ｍｍ
・撮像レンズの面データを以下に示す。【０１０９】
面番号        Ｒ        Ｄ      Ｎｄ       νｄ   有効半径
１(絞り)      ∞      -0.380                       1.39
２(＊)       2.421     0.920    1.54470    56.2    1.46
３(＊)     -25.589     0.050                       1.43
４(＊)       3.179     0.321    1.63200    23.4    1.41
５(＊)       1.718     1.008                       1.40
６(＊)     -13.442     0.709    1.54470    56.2    1.60
７(＊)      -3.644     0.612                       1.76
８(＊)      -2.678     0.770    1.54470    56.2    1.98
９(＊)      -1.430     0.520                       2.16
10(＊)      -9.920     0.450    1.54470    56.2    2.73
11(＊)       1.938     0.600                       3.03
12            ∞       0.145    1.51630    64.1    3.33
13            ∞                                   3.35
・撮像レンズの非球面係数を以下に示す。【０１１０】
第２面
K=0.36148E+00,A4=0.17371E-02,A6=-0.93252E-04,
A8=-0.30737E-03,A10=0.10423E-02,A12=-0.50599E-03,
A14=0.95554E-04
第３面
K=-0.30000E+02,A4=0.21423E-01,A6=-0.59707E-02,
A8=0.15453E-02,A10=0.51980E-03,A12=-0.83832E-03,
A14=0.17232E-03
第４面
K=-0.43318E+00,A4=-0.57637E-01,A6=0.21407E-01,
A8=-0.96490E-02,A10=0.18300E-02,A12=-0.81816E-03,
A14=0.14616E-03
第５面
K=-0.35304E+01,A4=-0.58482E-02,A6=0.15046E-01,
A8=-0.84000E-02,A10=0.47172E-02,A12=-0.25772E-02,
A14=0.65056E-03
第６面
K=0.23361E+02,A4=-0.19346E-01,A6=0.27182E-04,
A8=0.57107E-03,A10=-0.29448E-03,A12=0.55760E-03,
A14=-0.12701E-03
第７面
K=0.24510E+01,A4=-0.11982E-01,A6=0.47194E-02,
A8=-0.10093E-02,A10=0.31052E-03,A12=0.75567E-04,
A14=0.70094E-05
第８面
K=0.12384E+00,A4=-0.88676E-02,A6=0.43753E-02,
A8=0.34489E-03,A10=0.16651E-04,A12=-0.13926E-05,
A14=-0.24574E-07
第９面
K=-0.35852E+01,A4=-0.46635E-01,A6=0.13524E-01,
A8=-0.26772E-02,A10=0.44420E-03,A12=-0.86058E-05,
A14=-0.28156E-05
第10面
K=0.67292E+01,A4=-0.47747E-01,A6=0.10058E-01,
A8=-0.47748E-03,A10=-0.18904E-03,A12=0.37936E-04,
A14=-0.20468E-05
第11面
K=-0.98800E+01,A4=-0.37219E-01,A6=0.67687E-02,
A8=-0.98376E-03,A10=0.89767E-04,A12=-0.53208E-05,
A14=0.16451E-06
・撮像レンズの単レンズデータを以下に示す。【０１１１】
レンズ  始面    焦点距離(mm)
１       2        4.108
２       4       -6.463
３       6        8.949
４       8        4.628
５      10       -2.937
・撮像レンズの条件式（１）〜（８）に対応する値を以下に示す。
（１）（ｒ７＋ｒ８）／（ｒ７−ｒ８）＝３．２９２
（２）ＳＬ／ｆ＝１．１１７
（３）ｆ４／ｆ＝０．８２９
（４）ｆ３／ｆ４＝１．９３４
（５）ν１−ν２＝３２．６
（６）ｎ２＝１．６３２
（７）ｄ６／ｆ＝０．１１０
（８）Ｌ／２Ｙ＝０．９４
図１９は実施例９のレンズの断面図である。Ｌ１は第１レンズ、Ｌ２は第２レンズ、Ｌ３は第３レンズ、Ｌ４は第４レンズ、Ｌ５は第５レンズ、Ｓは開口絞り、Ｉは撮像面を示す。また、Ｆは光学的ローパスフィルタやＩＲカットフィルタ、固体撮像素子のシールガラス等を想定した平行平板である。図２０は実施例９の収差図（球面収差、非点収差、歪曲収差、メリディオナルコマ収差）である。【０１１２】
本実施例において、全てのレンズはプラスチック材料から形成されており、オートフォーカスやマクロ切り替え機能等での焦点位置合わせを、第１レンズＬ１から第３レンズＬ３までを一体で移動させて行う部分群繰り出しを想定している。【０１１３】
また、本実施例では第１レンズＬ１による調芯を前提としている。【０１１４】
ここで、プラスチック材料は温度変化時の屈折率変化が大きいため、第１レンズＬ１から第５レンズＬ５の全てをプラスチックレンズで構成すると、周囲温度が変化した際に、撮像レンズ全系の像点位置が変動してしまうという問題を抱えてしまう。【０１１５】
そこで最近では、プラスチック材料中に無機微粒子を混合させ、プラスチック材料の温度変化を小さくできることが分かってきた。詳細に説明すると、一般に透明なプラスチック材料に微粒子を混合させると、光の散乱が生じ透過率が低下するため、光学材料として使用することは困難であったが、微粒子の大きさを透過光束の波長より小さくすることにより、散乱が実質的に発生しないようにできる。プラスチック材料は温度が上昇することにより屈折率が低下してしまうが、無機粒子は温度が上昇すると屈折率が上昇する。そこで、これらの温度依存性を利用して互いに打ち消し合うように作用させることにより、屈折率変化がほとんど生じないようにすることができる。具体的には、母材となるプラスチック材料に最大長が２０ナノメートル以下の無機粒子を分散させることにより、屈折率の温度依存性のきわめて低いプラスチック材料となる。例えば、アクリルに酸化ニオブ（Ｎｂ２Ｏ５）の微粒子を分散させることで、温度変化による屈折率変化を小さくすることができる。本発明において、比較的屈折力の大きな正レンズ（Ｌ１）、または全てのレンズ（Ｌ１〜Ｌ５）に、このような無機粒子を分散させたプラスチック材料を用いることにより、撮像レンズ全系の温度変化時の像点位置変動を小さく抑えることが可能となる。【０１１６】
また近年、撮像装置を低コストに且つ大量に実装する方法として、予め半田がポッティングされた基板に対し、ＩＣチップその他の電子部品と光学素子とを載置したままリフロー処理（加熱処理）し、半田を溶融させることにより電子部品と光学素子とを基板に同時実装するという技術が提案されている。【０１１７】
このようなリフロー処理を用いて実装を行うためには、電子部品と共に光学素子を約２００〜２６０度に加熱する必要があるが、このような高温下では熱可塑性樹脂を用いたレンズでは熱変形し或いは変色して、その光学性能が低下してしまうという問題点がある。このような問題を解決するための方法のひとつとして、耐熱性能に優れたガラスモールドレンズを使用し、小型化と高温環境での光学性能を両立する技術が提案されているが、熱可塑性樹脂を用いたレンズよりもコストが高いため、撮像装置の低コスト化の要求に応えられないという問題があった。【０１１８】
そこで、撮像レンズの材料にエネルギー硬化性樹脂を使用することで、ポリカーボネイト系やポリオレフィン系のような熱可塑性樹脂を用いたレンズに比べ、高温に曝されたときの光学性能の低下が小さいため、リフロー処理に有効であり、かつガラスモールドレンズよりも製造しやすく安価となり、撮像レンズを組み込んだ撮像装置の低コストと量産性を両立できる。なお、エネルギー硬化性樹脂とは、熱硬化性樹脂及び紫外線硬化性樹脂のいずれをも指すものとする。【０１１９】
本発明のプラスチックレンズを前述のエネルギー硬化性樹脂も用いて形成してもよい。【０１２０】
なお、本実施例は、固体撮像素子の撮像面に入射する光束の主光線入射角については、撮像面周辺部において必ずしも十分小さい設計になっていない。しかし、最近の技術では、固体撮像素子の色フィルタやオンチップマイクロレンズアレイの配列の見直しによって、シェーディングを軽減することができるようになってきた。具体的には撮像素子の撮像面の画素ピッチに対し、色フィルタやオンチップマイクロレンズアレイの配列のピッチをわずかに小さく設定すれば、撮像面の周辺部にゆくほど各画素に対し色フィルタやオンチップマイクロレンズアレイが撮像レンズ光軸側へシフトするため、斜入射の光束を効率的に各画素の受光部に導くことができる。これにより固体撮像素子で発生するシェーディングを小さく抑えることができる。本実施例は、前記要求が緩和された分について、より小型化を目指した設計例となっている。
【符号の説明】
【０１２１】
Ｌ  撮像レンズ
Ｌ１  第１レンズ
Ｌ２  第２レンズ
Ｌ３  第３レンズ
Ｌ４  第４レンズ
Ｌ５  第５レンズ
Ｓ  開口絞り
Ｆ  平行平板
Ｉ  撮像面
Ｃ  固体撮像素子
【図１】
2011021271.tif 000004
【図２】
2011021271.tif 000005
【図３】
2011021271.tif 000006
【図４】
2011021271.tif 000007
【図５】
2011021271.tif 000008
【図６】
2011021271.tif 000009
【図７】
2011021271.tif 000010
【図８】
2011021271.tif 000011
【図９】
2011021271.tif 000012
【図１０】
2011021271.tif 000013
【図１１】
2011021271.tif 000014
【図１２】
2011021271.tif 000015
【図１３】
2011021271.tif 000016
【図１４】
2011021271.tif 000017
【図１５】
2011021271.tif 000018
【図１６】
2011021271.tif 000019
【図１７】
2011021271.tif 000020
【図１８】
2011021271.tif 000021
【図１９】
2011021271.tif 000022
【図２０】
2011021271.tif 000023
【国際調査報告】
2011021271.tif 000024
2011021271.tif 000025
2011021271.tif 000026